(57)【要約】【課題】限られたレイアウトでリード線を固定し、リード線に外力が加わってもブラシホルダの移動を防止できるブラシモータを得る。【解決手段】整流子９に摺接されるブラシ１５と、ブラシ１５を摺動可能に収容したブラシホルダ１６と、ブラシホルダ１６を固定すると共に、ハウジング４に弾性体２１を介して固定されたブラシホルダベース１７と、ブラシ１５に電力を供給するリード線２７と、ハウジング４に固定され、リード線２７の挿入孔２９ａを有するリード線ホルダ２９を備えたブラシモータ１において、リード線ホルダ２９は、ハウジング４の外部における挿入孔２９ａに、リード線２７とリード線ホルダ２９とを固定する結束バンド３０の配置を規制する規制部を設けた。【選択図】図４
2019205217.tif 000002
【特許請求の範囲】
【請求項１】
整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダと、を備えたブラシモータにおいて、
前記リード線ホルダは、前記ハウジングの外部における前記挿入孔に、前記リード線と前記リード線ホルダとを固定する結束部材の配置を規制する規制部を有することを特徴とするブラシモータ。
【請求項２】
前記規制部は、前記結束部材の長さ方向に延びると共に、前記結束部材の幅に合わせた溝であることを特徴とする請求項１に記載のブラシモータ。
【請求項３】
前記溝は、前記結束部材を通す挿通部を有することを特徴とする請求項２に記載のブラシモータ。
【請求項４】
前記溝は、底面を形成する結束部材締結部と、側面を形成する結束部材ガイド部により形成されることを特徴とする請求項２または３に記載のブラシモータ。
【請求項５】
前記結束部材ガイド部の外層側は、前記リード線の出口部が円弧状に形成され、前記リード線の出口面と前記円弧状の境界は滑らかに繋がれていることを特徴とする請求項４に記載のブラシモータ。
【請求項６】
前記結束部材締結部は、長さ方向中央部に突出する円弧状に形成されていることを特徴とする請求項４に記載のブラシモータ。
【請求項７】
前記挿入孔は、前記リード線の径方向に接する突出部を有することを特徴とする請求項１から６の何れか一項に記載のブラシモータ。
【請求項８】
前記リード線は複数であると共に前記挿入孔を複数設け、前記複数の挿入孔のそれぞれに前記リード線のそれぞれを挿入し、前記複数のリード線と前記リード線ホルダを１個の前記結束部材で固定したことを特徴とする請求項１から７の何れか一項に記載のブラシモータ。
【請求項９】
前記リード線は複数であると共に前記挿入孔を複数設け、前記複数の挿入孔のそれぞれに前記リード線のそれぞれを挿入し、前記複数のリード線の１本ずつを前記複数の結束部材の１個ずつで固定したことを特徴とする請求項１から７の何れか一項に記載のブラシモータ。
【請求項１０】
前記リード線ホルダは、前記リード線と前記結束部材との接触面積を確保するリード線締結部を有することを特徴とする請求項１から９の何れか一項に記載のブラシモータ。
【請求項１１】
前記リード線ホルダは、前記リード線が引き出される出口部にリード線出口溝を有し、前記リード線出口溝の弧状長さは、前記リード線締結部の弧状長さより長い円弧形状に形成されていることを特徴とする請求項１０に記載のブラシモータ。
【請求項１２】
前記リード線締結部は、前記リード線に向かって突出する突起部を有することを特徴とする請求項１０または１１に記載のブラシモータ。
【発明の詳細な説明】
【技術分野】
【０００１】
本願は、ブラシを備えたモータに関するものである。
【背景技術】
【０００２】
電動パワーステアリング装置用のモータとして、ブラシを備えたモータ、即ち、ブラシモータが用いられている。例えば特許文献１には、ブラシホルダを固定するブラシホルダベースを備え、このブラシホルダベースをハウジングに固定するねじ部に配設された弾性体と、ブラシホルダベースとハウジングとの軸方向の間に圧縮されて配設された前記弾性体とは異なる弾性部材とにより振動を抑制し、ブラシと整流子の摺動に伴う摺動音を低減するブラシモータが開示されている。
【０００３】
また、例えば特許文献２には、ブラシモータにおいて、ブラシホルダに接続されるリード線をリードクランプに取り付けることにより、外力がリード線を介してブラシホルダに伝達されにくくなり、ブラシホルダが外力で移動することを防止できる技術が開示されている。
【先行技術文献】
【特許文献】
【０００４】
【特許文献１】特開２０１１−９７７６４号公報（段落００１３、００１６、図１−図４、図７）
【特許文献２】特開２０００−３２４７６６号公報（段落００２８、図９）
【発明の概要】
【発明が解決しようとする課題】
【０００５】
特許文献１に開示された技術は、ハウジングが弾性体を介してブラシホルダを支持するフローティング構造により摺動音を低減するものであるが、リード線はゴム材からなるグロメットを貫通してブラシホルダに接続されているため、取扱い時のリード線の引っ張り、及びコラム組み付け時にリード線に過大な外力が加えられたときに、リード線と接続されたブラシホルダが移動し、ブラシと整流子との接触状態が変化し、特性に変化を与える懸念があった。
【０００６】
また、特許文献２に開示された技術によれば、ブラシホルダが外力で移動することは防止されるが、車両でのレイアウト上、リードクランプが他部品と干渉する問題があった。
【０００７】
本願は、前記課題を解決するためになされたもので、限られたレイアウトでリード線を固定し、リード線に外力が加わってもブラシホルダの移動を防止できるブラシモータを得ることを目的とするものである。
【課題を解決するための手段】
【０００８】
本願に開示されるブラシモータは、整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダを備えたブラシモータにおいて、
前記リード線ホルダは、前記ハウジングの外部における前記挿入孔に、前記リード線と前記リード線ホルダとを固定する結束部材の配置を規制する規制部を有するものである。
【発明の効果】
【０００９】
本願に開示されるブラシモータによれば、限られたレイアウトでリード線の固定ができると共に、リード線に外力が加わってもブラシホルダの移動を防ぐことができ、安定した特性を得ることができる。
【図面の簡単な説明】
【００１０】
【図１】実施の形態１に係るブラシモータの断面図である。
【図２】実施の形態１に係るブラシモータのハウジングにブラシホルダベースを組付けた正面図である。
【図３】図２の上面図である。
【図４】実施の形態１に係るブラシモータのリード線ホルダを示す斜視図である。
【図５】実施の形態１に係るブラシモータのリード線ホルダを説明する図である。
【図６】実施の形態１に係るブラシモータのリード線ホルダにおけるリード線固定部付近の斜視図である。
【図７】実施の形態１に係るブラシモータのリード線ホルダを示す断面図である。
【図８】実施の形態１に係るブラシモータのリード線ホルダにおけるリード線挿入部の拡大図である。
【図９】実施の形態２に係るブラシモータのリード線をリード線ホルダに固定する要部説明図である。
【発明を実施するための形態】
【００１１】
以下、本願に係るブラシモータの好適な実施の形態について図面を用いて説明する。なお、各図において、同一符号は同一、若しくは相当部分を示している。
【００１２】
実施の形態１．
図１から図７は、実施の形態１に係るブラシモータを説明する図で、図１はブラシモータを図２の矢印Ａ−Ａ方向から見た断面図、図２はブラシモータの正面図、図３は図２の上面図である。また、図４はブラシモータのリード線ホルダを示す斜視図、図５はブラシモータのリード線ホルダを示し、（ａ）は左側面図、（ｂ）は正面図、（ｃ）は右側面図である。また、図６はリード線ホルダのリード線固定部付近を示す斜視図、図７は図５の矢印Ｂ−Ｂ方向から見た断面図、図８は図５の矢印Ｃ−Ｃ方向から見た断面図である。
【００１３】
図１において、ブラシモータ１は、有底円筒状のヨーク２の内周面に固定された複数の永久磁石３を有し、ヨーク２の開口側には、ヨーク２と嵌合し当接するハウジング４が取付けねじ５によって固定されている。回転子をなすアマチュア６は、シャフト７に固定されたコア８及び整流子９を有し、コア８には巻線１０が巻回されて、整流子９の外周に配設された複数の整流子片１１に接続されている。シャフト７は、第１の軸受１２及び第２の軸受１３によって回転自在に支持されている。
【００１４】
整流子９の外周に配設された整流子片１１は、隣接する整流子片１１との周方向（回転方向）の間に溝（アンダーカット）を備えている。整流子片１１の外周には、スプリング１４の弾性力によって軸心方向に押圧され、整流子片１１の外周表面に摺接される複数のブラシ１５が備えられている。ブラシ１５は、銅合金又は鉄からなる板材で箱状に形成され、整流子９側の１面が開口したブラシホルダ１６の内面に摺動可能に収容されている。ブラシホルダ１６は、樹脂で形成されたブラシホルダベース１７に固定され、ブラシホルダ１６の内面にはブラシ１５と共にスプリング１４が収納されている。
【００１５】
ブラシホルダベース１７は、ハウジング４と軸方向において対向する円板状部分を有すると共に、その外周縁部にブラシ１５の方向に延びた円環状淵部が一体に設けられた形状となっている。ブラシホルダベース１７の前記円板状部分には、ブラシ１５への通電回路をなす銅合金又は鉄の板材で形成されたプレート１８がインサート成型されており、ブラシ１５から軸方向に導出された撚り線で構成されたピグテール１９の先端部が、プレート１８に接続されている。また、ブラシホルダベース１７は、ブラシホルダベース１７に形成されたねじ部２０に配設された弾性体２１を介して、ねじ２２によってハウジング４に対して軸方向から固定されている。
【００１６】
ねじ２２の外周と弾性体２１の内周面との間には、鉄系材料からなる円筒状のブッシュ２３が配設されており、ブッシュ２３の軸方向の寸法によって、弾性体２１の軸方向の圧縮量を規定している。ブラシホルダベース１７のねじ部２０が、軸方向の両側から弾性体２１の淵部によって挟まれて、ブラシホルダベース１７は、ハウジング４に対してゴムマウントされている。ブッシュ２３の内周面とねじ２２の外周の間には、ねじ２２を挿入するための組付上の隙間が設けられている。ブラシホルダベース１７のねじ部２０は、シャフト７の軸心に対して径方向に対向する２箇所に配設されており、ブラシホルダベース１７は弾性体２１を介し、２本のねじ２２によってハウジング４に固定されている。なお、弾性体２１を介するねじ部２０は２箇所に限らず、３箇所以上あってもよい。
【００１７】
ブラシ１５は、整流子９側の側面にブラシ１５の軸方向の一端に形成された摺接面２４を有し、この摺接面２４からブラシ１５の軸方向の他端に向かって、整流子９の外周面から漸次離間する除肉部２５を備えている。摺接面２４は、ハウジング４側に配設されており、整流子片１１の外周表面に摺接している。ブラシ１５は、ブラシホルダ１６の内面との間に、軸方向に例えば０．２ｍｍの隙間を有して配設されている。また、ブラシ１５から軸方向に導出されるピグテール１９は、摺接面２４と反対側の反ハウジング側（除肉部２５側）に導出されている。
【００１８】
図２に示すように、ハウジング４とブラシホルダベース１７との軸方向の間であって、弾性体２１とは異なる位置にゴム材からなる弾性部材２６が配設されている。弾性部材２６は、ブラシホルダベース１７の倒れを抑制するために、ハウジング４とブラシホルダベース１７との軸方向の間でねじ２２をハウジング４に締め付けることによって当接されている。ブラシホルダベース１７は、前述のように径方向に対向した２箇所のねじ部２０を有しており、弾性部材２６は、ねじ部２０の周方向の間（即ち２箇所）の中央付近に１箇所あたり１個ずつ、合計２箇所に配設されている。
【００１９】
このように構成されたブラシモータ１は、図示しない制御装置によって制御され、該制御装置と接続されるリード線２７の先端部がハウジング４の外部からハウジング４の内部に導入されており、リード線２７の先端部が接続されるプレート１８と、プレート１８に接続されるピグテール１９と、ピグテール１９が接続されるブラシ１５と、ブラシ１５が摺接する整流子片１１とを経て、アマチュア６の巻線１０に通電され、アマチュア６と永久磁石３との電磁作用によってシャフト７は回転力を発生する。
【００２０】
ブラシモータ１は、ハウジング４を介して車両側の減速ギヤハウジング等に装着され、シャフト７の先端部に圧入固定されたボス２８（図１参照）を介して、前記回転力が車両側に伝達されて、車両のハンドルの操作力をアシストすることができる。
【００２１】
図２、図３、図４に示すように、リード線２７を保持するリード線ホルダ２９は、ブラシホルダベース１７とは別個の絶縁部材で形成されている。リード線ホルダ２９に設けられた挿入孔２９ａにリード線２７が挿入され、挿入されたリード線２７はプレート１８の接合部１８ａに溶接される。そして、結束部材である結束バンド３０をリード線ホルダ２９の結束部材締結部である結束バンド締結部２９ｂに沿ってリード線２７と共に締め付けることにより、リード線２７はリード線ホルダ２９に固定される。前記のように構成されたリード線ホルダ２９をハウジング４に組み付けることにより、図２、図３に示す組み立て状態となる。
【００２２】
リード線ホルダ２９は、図１に示すように、ねじ５でハウジング４がヨーク２に固定される際のねじ５の締結力により、ヨーク２とハウジング４で挟み込まれて固定される。なお、リード線ホルダ２９とハウジング４にねじ穴を形成し、リード線ホルダ２９をハウジング４にねじによって固定してもよい。
【００２３】
図４、図５、図６に示すように、リード線ホルダ２９にはリード線２７と結束バンド３０との接触面積を確保するリード線締結部２９ｃが設けられ、このリード線締結部２９ｃに突起部２９ｄが形成されている。突起部２９ｄはリード線２７に向かって突出するように形成されている。図２に示すように結束バンド３０によってリード線２７がリード線ホルダ２９に固定される際に、結束バンド３０の締結力によってリード線ホルダ２９の突起部２９ｄがリード線２７に対して径方向に食い込み、固定力が強化される構造になっている。
【００２４】
前記のように構成されたリード線２７の固定構造においては、リード線ホルダ２９にリード線２７を結束バンド３０で固定する際、その締結力による突起部２９ｄのリード線２７に対するリード線径方向への食い込みにより、リード線２７に外力が加わったときの動きを抑制する。
【００２５】
リード線ホルダ２９は、結束バンド３０を配置するために、底面を構成する結束バンド締結部２９ｂと、結束バンド締結部２９ｂに対して両側面を構成する結束バンドガイド部２９ｅからなる溝が設けられており、図７に示すように結束バンド３０とリード線ホルダ２９が接するように、溝の底面である結束バンド締結部２９ｂは、長さ方向中央部に突出する円弧状に形成されている。このように形成することにより、結束バンド３０の締結力がリード線２７に伝わりやすくなり、より効果的にリード線２７をリード線ホルダ２９に固定することができる。また、結束バンドガイド部２９ｅを結束バンド３０の幅に合わせて設けることにより、結束バンド３０の脱落と横ずれを防止でき、外力が加わったときのリード線２７の動きをより確実に抑制できる。なお、底面を構成する結束バンド締結部２９ｂと、結束バンド締結部２９ｂに対して両側面を構成する結束バンドガイド部２９ｅからなる溝は、リード線ホルダ２９とリード線２７を固定する結束バンド３０の配置を規制する規制部として機能する。
【００２６】
リード線ホルダ２９に設けられた前記溝には、結束バンド３０を通すための挿通部、例えば貫通孔２９ｆが片側に設けられており、結束バンド３０のロック部の位置決めを可能とし、結束バンド３０を締め付ける際の誤組付けを防止する。また、貫通孔２９ｆを設けることにより結束バンド３０の動きを抑制することができる。なお、貫通孔２９ｆは、両側に設けても良い。また、結束バンド３０を通す挿通部としては、前記溝の片側もしくは両側を貫通孔２９ｆに変えて溝形状としても良い。
【００２７】
リード線ホルダ２９のリード線締結部２９ｃは、リード線２７と結束バンド３０のリード線径方向における接触面積を確保する溝形状で構成することによって、結束バンド３０の締結力がリード線２７に伝わりやすくし、リード線２７とリード線ホルダ２９との締結力も向上することができる。
【００２８】
図５（ｃ）及び図６に示すように、リード線２７がハウジング４から引き出される出口部は円弧状に形成され、この出口部に形成されたリード線出口溝２９ｇとリード線出口面２９ｈの境界２９ｉが滑らかに繋がれている。これにより、リード線２７がモータ軸ボス側へ外力を受けた際に、リード線２７に対する出口部での応力集中を低減することができ、リード線２７の損傷を防止することができる。
【００２９】
リード線出口溝２９ｇは、リード線締結部２９ｃの弧状長さより長い円弧形状に形成されており、これによりリード線２７は、リード線出口溝２９ｇの円弧状部と挿入穴２９ａによって規制され、リード線２７を結束バンド３０で固定するまでリード線ホルダ２９に仮保持することが可能となる。また、リード線出口溝２９ｇが、リード線締結部２９ｃの弧状長さより長い円弧形状に形成されていることにより、結束バンド３０の脱落と横ずれを防止することができ、外力が加わったときのリード線２７の動きをより確実に抑制することができる。
【００３０】
図６及び図８に示すようにリード線ホルダ２９に形成された挿入孔２９ａに沿って、突出部２９ｊを設けることにより、リード線２７の抜け止めの効果を高め、ブラシモータ１の内部への異物の侵入も防ぐことができる。また突出部２９ｊの隅部をテーパでつなぐことによってリード線２７の挿入時の組み付け性も向上する。
【００３１】
実施の形態２．
実施の形態１においては、リード線２７をリード線ホルダ２９に固定する場合に、１個の結束バンド３０を用いて２本のリード線２７を固定する実施形態について説明したが、図９に示すように、リード線締結部２９ｃの２箇所の中央に結束バンド３０が２本通る程度の貫通孔２９ｆを設け、リード線１本に対し結束バンド１個ずつ、合計２個の結束バンド３０を用いて固定してもよい。これによれば、リード線１本ずつをより強固にリード線ホルダ２９に固定できる利点がある。なお、その他の構成については、実施の形態１と同様であり、図示説明を省略する。
【００３２】
以上説明のように、本願に係るブラシモータによれば、限られたレイアウトでリード線の固定ができ、リード線に外力が加わってもブラシホルダの移動を防ぐことができ、安定した特性を得ることができる。
【００３３】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３４】
１  ブラシモータ、２  ヨーク、３  永久磁石、４  ハウジング、５、２２  ねじ、６  アマチュア、７  シャフト、８  コア、９  整流子、１０  巻線、１１  整流子片、１２  第１の軸受、１３  第２の軸受、１４  スプリング、１５  ブラシ、１６  ブラシホルダ、１７  ブラシホルダベース、１８  プレート、１９  ピグテール、２０  ねじ部、２１  弾性体、２３  ブッシュ、２４  摺接面、２５  除肉部、２６  弾性部材、２７  リード線、２８  ボス、２９  リード線ホルダ、２９ａ  挿入孔、２９ｂ  結束部材締結部（結束バンド締結部）、２９ｃ  リード線締結部、２９ｄ  突起部、２９ｅ  結束バンドガイド部、２９ｆ  貫通孔、２９ｇ  リード線出口溝、２９ｈ  リード線出口面、２９ｉ  境界、２９ｊ  突出部、３０  結束バンド。
【図１】
2019205217.tif 000003
【図２】
2019205217.tif 000004
【図３】
2019205217.tif 000005
【図４】
2019205217.tif 000006
【図５】
2019205217.tif 000007
【図６】
2019205217.tif 000008
【図７】
2019205217.tif 000009
【図８】
2019205217.tif 000010
【図９】
2019205217.tif 000011
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダと、を備えたブラシモータにおいて、
前記リード線ホルダは、前記ハウジングの外部における前記挿入孔に、前記リード線と前記リード線ホルダとを固定する結束部材の配置を規制する規制部を有し、
前記規制部は、前記結束部材の長さ方向に延びると共に、前記結束部材の幅に合わせた溝であり、前記溝は、底面を形成する結束部材締結部と、側面を形成する結束部材ガイド部により形成され、
前記結束部材ガイド部の外層側は、前記リード線の出口部が円弧状に形成され、前記リード線の出口面と前記円弧状の境界は滑らかに繋がれていることを特徴とするブラシモータ。
【請求項２】
整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダと、を備えたブラシモータにおいて、
前記リード線ホルダは、前記ハウジングの外部における前記挿入孔に、前記リード線と前記リード線ホルダとを固定する結束部材の配置を規制する規制部を有し、
前記規制部は、前記結束部材の長さ方向に延びると共に、前記結束部材の幅に合わせた溝であり、前記溝は、底面を形成する結束部材締結部と、側面を形成する結束部材ガイド部により形成され、
前記結束部材締結部は、長さ方向中央部に突出する円弧状に形成されていることを特徴とするブラシモータ。
【請求項３】
前記溝は、前記結束部材を通す挿通部を有することを特徴とする請求項１または２に記載のブラシモータ。
【請求項４】
前記挿入孔は、前記リード線の径方向に接する突出部を有することを特徴とする請求項１から３の何れか一項に記載のブラシモータ。
【請求項５】
前記リード線は複数であると共に前記挿入孔を複数設け、前記複数の挿入孔のそれぞれに前記リード線のそれぞれを挿入し、前記複数のリード線と前記リード線ホルダを１個の前記結束部材で固定したことを特徴とする請求項１から４の何れか一項に記載のブラシモータ。
【請求項６】
前記リード線は複数であると共に前記挿入孔を複数設け、前記複数の挿入孔のそれぞれに前記リード線のそれぞれを挿入し、前記複数のリード線の１本ずつを前記複数の結束部材の１個ずつで固定したことを特徴とする請求項１から４の何れか一項に記載のブラシモータ。
【請求項７】
前記リード線ホルダは、前記リード線と前記結束部材との接触面積を確保するリード線締結部を有することを特徴とする請求項１から６の何れか一項に記載のブラシモータ。
【請求項８】
整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダと、を備えたブラシモータにおいて、
前記リード線ホルダは、前記ハウジングの外部における前記挿入孔に、前記リード線と前記リード線ホルダとを固定する結束部材の配置を規制する規制部を有すると共に、前記リード線と前記結束部材との接触面積を確保するリード線締結部と、前記リード線が引き出される出口部にリード線出口溝を有し、前記リード線出口溝の弧状長さは、前記リード線締結部の弧状長さより長い円弧形状に形成されていることを特徴とするブラシモータ。
【請求項９】
前記リード線締結部は、前記リード線に向かって突出する突起部を有することを特徴とする請求項８に記載のブラシモータ。
【手続補正２】
【補正対象書類名】明細書
【補正対象項目名】０００８
【補正方法】変更
【補正の内容】
【０００８】
本願に開示されるブラシモータは、整流子に摺接されるブラシと、前記ブラシを摺動可能に収容したブラシホルダと、前記ブラシホルダを固定すると共に、ハウジングに弾性体を介して固定されたブラシホルダベースと、前記ブラシに電力を供給するリード線と、前記ハウジングに固定され、前記リード線の挿入孔を有するリード線ホルダを備えたブラシモータにおいて、
前記リード線ホルダは、前記ハウジングの外部における前記挿入孔に、前記リード線と前記リード線ホルダとを固定する結束部材の配置を規制する規制部を有し、
前記規制部は、前記結束部材の長さ方向に延びると共に、前記結束部材の幅に合わせた溝であり、前記溝は、底面を形成する結束部材締結部と、側面を形成する結束部材ガイド部により形成され、
前記結束部材ガイド部の外層側は、前記リード線の出口部が円弧状に形成され、前記リード線の出口面と前記円弧状の境界は滑らかに繋がれていることを特徴とする。